(57)【要約】【課題】円板体選別装置を設置する取付部材に設けられた嵌合部の位置や形状が異なっても取り付けることが可能な円板体選別装置を提供することを目的とする。【解決手段】 装置本体側面に設けたボスが、該装置以外の取付部材の略Ｕ字孔と嵌合する状態で使用される円板体選別装置であって、前記ボスが前記装置本体側面に対して出没するようにしたことを特徴とする円板体選別装置。【選択図】図１
2009059070.tif 000002
【特許請求の範囲】
【請求項１】
装置本体側面に設けたボスが、該装置以外の取付部材の略Ｕ字孔と嵌合する状態で使用される円板体選別装置であって、前記ボスが前記装置本体側面に対して出没するようにしたことを特徴とする円板体選別装置。
【請求項２】
前記ボスは、回動中心となる軸を有し、前記軸は装置内部の軸受に嵌合し、前記ボスが該軸を中心にして回動することで、前記ボスが前記装置本体側面から出没するようにしたことを特徴とする前記請求項１記載の円板体選別装置。
【請求項３】
前記ボスは、回動後前記装置本体側面に当接する係止突起を有し、前記ボスが回動する時、前記係止突起が乗り越えることで、前記装置本体側面に対して凸となる状態若しくは前記装置本体側面から退避した状態を保持する乗り上げ突起を備えたことを特徴とする前記請求項２記載の円板体選別装置。
【発明の詳細な説明】
【技術分野】
【０００１】
本発明は、小型の円板体選別装置の取付け構造に関する。
【背景技術】
【０００２】
一般に、機器の内部に設置され、硬貨あるいは遊技用メダル等の円板体（以下円板体と言う）の選別を行なう小型の円板体選別装置は、投入された円板体を受け入れて、適正なものと不適正なものとに選別するものであって、その設置には、ブラケット若しくはホルダー若しくはチャンネル等と呼ばれる専用の取付部材が用いられ、円板体選別装置側面から突出したボス部が、前記専用の取付部材に設けられた長孔に嵌合し、設置姿勢が保たれる。（例えば、特許文献１参照）
【０００３】
図４は、上述した従来技術を説明するための概念斜視図である。図４に示す従来の円板体選別装置１００は、上面に設けられた円板体投入口１０１と、側面に設けられた適正円板体の出口１０２と、底面に設けられた図示しない不適正な円板体の出口を備えるとともに、両側面の計４箇所に円柱形状のボス１０３、１０４,１０５、１０６が一体に成形されている。尚、従来技術では、ボスを装置本体とは異なる材質の、例えば金属とし、ネジ部を設けて装置本体にネジ固定するものもある。
【０００４】
図４に示す円板体選別装置を設置する取付部材１０７には、円板体選別装置の両側面を挟むように設けられた一対の壁１０８、１０９と、前記円板体選別装置のボスが嵌合する略Ｕ字形状の長孔からなる嵌合部１１０、１１１、１１２、１１３が設けられている。
【０００５】
そして、前記一対の壁１０８、１０９に設けられた嵌合部１１０、１１１、１１２、１１３へ円板体選別装置のボス１０３、１０４,１０５、１０６をそれぞれ嵌合させることで円板体選別装置１が使用状態の姿勢で取付けられる。
【０００６】
【特許文献１】特開２００１−１５５２０６
【発明の開示】
【発明が解決しようとする課題】
【０００７】
ところで、従来のボスが一体に設けられた円板体選別装置は、前記取付部材に設けられた嵌合部の位置や形状に対応させて円板体選別装置本体に一体に成形されているため、該嵌合部の位置や形状が異なる取付部材には搭載することが出来なかった。
また、従来のネジ部が設けられたボスの場合、取付部材に設けられた嵌合部の位置や形状に対応させてボスを円板体選別装置に固定する作業が煩雑であった。また、ネジ部が設けられたボスの場合、円板体選別装置の取付に不要となったボスが紛失する虞がある。
【０００８】
この発明は、上述した事情に鑑み、円板体選別装置を設置する取付部材に設けられた嵌合部の位置や形状が異なっても簡単に取り付けることが可能な円板体選別装置を提供することを目的とする。
【課題を解決するための手段】
【０００９】
上記課題を解決するために、本発明は、円板体選別装置の装置本体側面に設けたボスが、装置以外の取付部材の略Ｕ字孔と嵌合する状態で使用される円板体選別装置であって、前記ボスが前記装置側面に対して出没するようにした。
【００１０】
そして取付部材の嵌合部の位置や形状に対応するボスを円板体選別装置本体から出没可能な状態で保持し、嵌合部の位置や形状に対応していないボスは円板体選別装置本体内部へ退避させた状態とすることで、取付け部材に取り付けられるようにした。
【発明の効果】
【００１１】
本願発明によれば、円板体選別装置を設置する取付部材に設けられた嵌合部の位置や形状が異なっても簡単に円板体選別装置を取付可能になる。
【発明を実施するための最良の形態】
【００１２】
以下本願発明に係る実施例を説明する。図１は本願発明による円板体選別装置の一実施例を示す外観概念斜視図である。
【００１３】
図１の１は本願発明の一実施例を示す円板体選別装置であって、図中Ａの面が円板体選別装置１の正面である。円板体選別装置１は、略矩形状の筐体の装置であって、円板体選別装置の装置本体の上面に設けられた円板体投入口３と、一方の側面に設けられた適正円板体の出口４と、底面に設けられた図示しない不適正な円板体の出口とを備えている。
【００１４】
円板体選別装置の両側面には計４箇所にボスが設けられており、該ボスは円板体選別装置1本体に設けられたボスを支承する支承部（計4箇所）へそれぞれ回動自在に支承されている。なお、円板体選別装置の適正円板体の出口４が設けられた側面には支承部９、１０が設けられておりボス５、６を支承している。また、適正円板体の出口４が設けられた側面とは反対側の側面には前記ボス５，６と左右対称の位置に、図示しない支承部及びボスが設けられている。なお、本実施例のボスは全て同一形状であって、円板体選別装置１とは独立した弾性のある樹脂製の部材から形成されている。
【００１５】
図１に示す円板体選別装置１のボス５は、円板体選別装置１の側面方向へ突出した状態であり、ボス６は、円板体選別装置内へ退避した状態を示している。
【００１６】
図１の円板体選別装置１の右側は、取付部材１９の一例を示している。
【００１７】
取付部材１９は嵌合部を２つのみ備えたタイプの取付部材である。取付部材１９には、円板体選別装置の両側面を挟むように設けられた一対の壁２０、２１と、円板体選別装置のボスが嵌合する長孔の嵌合部２２、２３が設けられている。
【００１８】
図２は、円板体選別装置１のボスと支承部を説明するための拡大斜視図であって、図１に示す矢印Ｘから視た概略斜視図である。図１の右側は、円板体選別装置１の支承部９に取り付ける前の状態のボス５を示している。また図１の左側は、ボス５が取り付けられる前の状態の支承部９を示している。
【００１９】
ボス５は、円柱形状の凸部１３と、ボス５から上下に伸びた軸１４ａと１４ｂと、軸１４ａと１４ｂの近傍にそれぞれ設けられた三角錐形状の係止突起１５ａ、１５ｂと、凸部１３とは反対側の端面から軸１４ａと１４ｂの中間部を通って円柱の中心軸方向へ伸びるＵ字状のスリット１６を備えている。
【００２０】
なお、本実施例では係止突起１５ａ、１５ｂは三角錐形状の突起としたが、円柱形状や四角柱等どの様な形状であってもよい。
【００２１】
支承部９は、ボス５の軸１４ａ、１４ｂを嵌挿して回転自在に支承するための軸受１７ａ、１７ｂと、ボス５が退避した状態から出没した状態に向けて回転時にボス５の係止突起１５a、１５ｂが乗り越えることでボス５が出没した状態を保持する乗り上げ突起１８ａ、１８ｂを備えている。なお、支承部１０は支承部９と上下対称の形状である。また、支承部９と支承部１０が設けられた側面とは反対側の側面に設けられた２つの支承部は、支承部９と支承部１０に対して左右対称の形状である。
【００２２】
ボス５を支承部９へ取り付ける際には、ボス５を指で摘んでスリット１６の幅が狭くなるように撓ませて、軸８ａの先端部から８ｂの先端部までを短くして、軸受１７ａ、１７ｂへ軸８ａと８ｂをそれぞれ嵌挿する。ボス５は円板体選別装置１から突出した状態でも、退避した状態でも上記のように嵌挿することが可能であり、嵌挿後、ボス５を指で摘んで回転させることで退避した状態と突出した状態をどちらにも変えることが出来る。
【００２３】
次に、ボス５の凸部１３が円板体選別装置１から突出した状態で保持するための係止突起１５ａ、１５ｂ、および乗り上げ突起１８ａ、１８ｂについて図２と図３を参考に説明する。図３はボスの回転を説明するための拡大斜視図である。図３（ａ）は、ボス５の凸部１３が円板体選別装置１へ退避した状態で保持された状態を示している。また図３（ｂ）は、ボス５の凸部１３が円板体選別装置１から突出した状態で保持された状態を示している。
【００２４】
図２に示す円板体選別装置１の支承部９の軸受１７ａ、１７ｂの中心からＣ面までの距離は、ボス５の軸１４ａ、１４ｂから係止突起１５ａ、１５ｂのＢ面までの距離より若干短く、ボス５を支承部９へ取り付けた状態においてＢ面とＣ面の間には若干（０．１ｍｍ弱）の隙間が設けられている。
同様に、円板体選別装置１の支承部９の軸受１７ａ、１７ｂの中心からＤ面までの距離は、ボス５の軸１４ａ、１４ｂから係止突起１５ａ、１５ｂのＢ面までの距離より若干短く、ボス５を支承部９へ取り付けた状態においてＢ面とＤ面の間には若干（０．１ｍｍ弱）の隙間が設けられている。
また、図２に示す円板体選別装置１の支承部９の軸受１７ａ、１７ｂの中心から上げ突起１８の先端までの距離は、ボス５の軸１７ａ、１７ｂから係止突起１５ａ１５ｂのＢ面までの距離より若干（０．０５ｍｍ程度）大きい。
【００２５】
したがって、図３（ａ）の係止突起１５ａ、１５ｂが円板体選別装１へ退避した状態から突出した状態へ回転する際に、ボス５の係止突起１５ａ、１５ｂは、弾性のある樹脂から成るため若干変形しながら乗り上げ突起１８ａ、１８ｂを乗り超える為、乗り上げ突起１８ａ、１８ｂを通過したボス５は突出した状態に保持される。また、同様にボス５は、退避した状態においても退避した状態に保持される。
【００２６】
このように、本実施例の円板体選別装置１は、図４に示す取付部材１０７の場合には、円板体選別装置１に設けられた４つのボスを円板体選別装置１の両側面から突出することで取り付けることが可能であり、図１に示す取付部材１９の場合には、円板体選別装置１に設けられた４つのボスうち、両側面上側の２つのボスのみを突出させて、下側の２つのボスを退避させた状態とすれば取り付けることが可能である。したがって円板体選別装置を設置する取付部材に設けられた嵌合部の位置や形状が異なっても取り付けが可能である。
【００２７】
また、実施例では円板体選別装置に設けられた計４箇所のボスに設けられた凸部の形状は同一となっているが、本発明のボスは、嵌合部の形状に合わせて大きさや形の異なる凸部を備えたボスとすることも可能である。また、本実施例の円板体選別装置１は４箇所にボスを設けているが、より多くのボスを設けても良く、その場合はさらに多くの嵌合部の位置や形状が異なる取付部材へ取り付けることが可能となる。
【図面の簡単な説明】
【００２８】
【図１】本願発明による円板体選別装置の一実施例を示す外観概念斜視図。
【図２】円板体選別装置１のボスと支承部を説明するための拡大斜視図。
【図３】ボスの回転を説明するための拡大斜視図。
【図４】従来技術を説明するための概念斜視図。
【符号の説明】
【００２９】
１  円板体選別装置
３  円板体投入口
４  適正円板体の出口
５、６  ボス
９、１０  支承部
１３  凸部
１４ａ、１４ｂ  軸
１５ａ、１５ｂ  係止突起
１６  スリット
１７ａ、１７ｂ  軸受
１８ａ、１８ｂ  乗り上げ突起
１９  取付部材
２０、２１  壁
２２、２３  嵌合部
１００  円板体選別装置
１０１  円板体投入口
１０２  適正円板体の出口
１０３、１０４、１０５、１０６  凸部
１０７  取付部材
１０８、１０９  壁
１１０、１１１、１１２、１１３  嵌合部
【図１】
2009059070.tif 000003
【図２】
2009059070.tif 000004
【図３】
2009059070.tif 000005
【図４】
2009059070.tif 000006